(57)【要約】【課題】測定対象物の高さを容易に測定することができると共に、実際の睡眠状態を加味した高さの測定を行うことができる高さ測定装置及び高さ測定方法を提供する。【解決手段】一実施形態に係る高さ測定装置は、寝具を含む測定対象物の基準面に対する高さを測定する高さ測定装置１であって、基準面から高さ方向Ｄ１に延びる第１支持部３と、第１支持部３に高さ方向Ｄ１に移動可能に支持されると共に、第１支持部３から高さ方向Ｄ１に交差する交差方向Ｄ２に延びる第２支持部４と、第２支持部４に交差方向Ｄ２に移動可能に支持されると共に、第２支持部４の測定対象物への下降に伴って測定対象物に接触する接触部５と、基準面に対する接触部５の高さを表示する高さ表示部１０と、を備える。【選択図】図３
2019203746.tif 000002
【特許請求の範囲】
【請求項１】
寝具を含む測定対象物の基準面に対する高さを測定する高さ測定装置であって、
前記基準面から高さ方向に延びる第１支持部と、
前記第１支持部に前記高さ方向に移動可能に支持されると共に、前記第１支持部から前記高さ方向に交差する交差方向に延びる第２支持部と、
前記第２支持部に前記交差方向に移動可能に支持されると共に、前記第２支持部の前記測定対象物への下降に伴って前記測定対象物に接触する接触部と、
前記基準面に対する前記接触部の高さを表示する高さ表示部と、
を備える高さ測定装置。
【請求項２】
前記第１支持部の下方で前記交差方向に延在する板状部材を備える、
請求項１に記載の高さ測定装置。
【請求項３】
寝具及び被検者を含む測定対象物の基準面に対する高さを請求項１又は２に記載の高さ測定装置によって測定する高さ測定方法であって、
前記基準面の上方に位置する前記被検者の身体に前記接触部を接触させることによって前記身体の高さを測定する工程と、
前記基準面の上方に位置する前記寝具に前記接触部を接触させることによって前記寝具の高さを測定する工程と、
前記基準面の上方に位置する前記寝具に載せられた前記身体に前記接触部を接触させることによって前記寝具に載せられた前記身体の高さを測定する工程と、
を備える高さ測定方法。
【発明の詳細な説明】
【技術分野】
【０００１】
本発明は、寝具を含む測定対象物の高さを測定する高さ測定装置及び高さ測定方法に関する。
【背景技術】
【０００２】
寝心地の良い寝具を提供するために寝具等の測定対象物の高さを測定することは従来から行われている。実用新案登録第３１２７２８９号公報には、枕の高さ測定装置が記載されている。この高さ測定装置は、枕が設置される基台と、基台から鉛直上方に延びる第１の枠体と、第１の枠体から水平方向に延びる第２の枠体と、第２の枠体に固定されており表面にデジタルインジゲータが設けられた受け部と、受け部に鉛直方向に摺動自在とされた柱とを備える。柱の鉛直下方には、枕に載せられた重りが設けられ、この重りは人間の頭の後頭部及び頸椎に相当する湾曲部を有する。
【０００３】
重りとしては、子供の頭部、大人の女性の頭部、及び大人の男性の頭部等のそれぞれに相当して互いに重さが異なるものが用意される。重りの重さは３ｋｇ〜７ｋｇである。前述した柱の下端には重りを押圧する板状の連結部が取り付けられている。この高さ測定装置では、基台の上に枕を置いて枕の上に重りを載せ、柱を降ろして上記の連結部で重りを押さえつけることにより、枕に頭部が載せられた状態を再現して枕の高さを測定する。
【先行技術文献】
【特許文献】
【０００４】
【特許文献１】実用新案登録第３１２７２８９号公報
【発明の概要】
【発明が解決しようとする課題】
【０００５】
前述した高さ測定装置では、子供の頭部、大人の女性の頭部、及び大人の男性の頭部等に相当する複数の重りを予め用意する必要がある。従って、人の頭部を模擬した複数の重りを用意しなければならないため、高さの測定を容易に行うことができないという問題がある。
【０００６】
また、前述した高さ測定装置では、子供、大人の女性、及び大人の男性等のそれぞれに相当する重りを用意する。しかしながら、例えば同じ大人の男性であっても、頭部の重さは人それぞれで異なっており、個人差がある。従って、前述した高さ測定装置では、頭部の重さの個人差を加味した高さの測定を行うことはできない。実際は、枕等の寝具の凹み具合は載せられる身体の重さ及び形状によって異なるが、前述した高さ測定装置では、実際の身体の重さ及び形状を加味した寝具の高さを測定できない。従って、実際の睡眠状態を加味した高さの測定を行うことができないという問題がある。
【０００７】
本発明は、前述した問題に鑑みてなされたものであり、測定対象物の高さを容易に測定することができると共に、実際の睡眠状態を加味した高さの測定を行うことができる高さ測定装置及び高さ測定方法を提供することを目的とする。
【課題を解決するための手段】
【０００８】
本発明に係る高さ測定装置は、寝具を含む測定対象物の基準面に対する高さを測定する高さ測定装置であって、基準面から高さ方向に延びる第１支持部と、第１支持部に高さ方向に移動可能に支持されると共に、第１支持部から高さ方向に交差する交差方向に延びる第２支持部と、第２支持部に交差方向に移動可能に支持されると共に、第２支持部の測定対象物への下降に伴って測定対象物に接触する接触部と、基準面に対する接触部の高さを表示する高さ表示部と、を備える。
【０００９】
この高さ測定装置では、高さ方向に延びる第１支持部が交差方向に延びる第２支持部を高さ方向に移動可能に支持し、第２支持部は測定対象物に接触する接触部を交差方向に移動可能に支持する。よって、測定対象物に接触する接触部は、高さ方向に交差する交差方向に移動可能に支持されるため、交差方向の位置が異なる複数の箇所の測定対象物に接触する。また、この高さ測定装置は、接触部の高さを表示する高さ表示部を備える。よって、高さ表示部が測定対象物に接触した接触部の高さを表示することにより、測定対象物の高さを容易に測定することができる。また、接触部を交差方向に沿って移動させながら高さ表示部が接触部の高さを表示することにより、交差方向ごとの測定対象物の高さを測定することができる。従って、測定対象物の高さを精度よく測定することができる。また、この高さ測定装置では、測定対象物に接触部を接触させて高さ表示部が接触部の高さを表示することにより、基準面に対する測定対象物の高さを測定することができる。よって、寝具に接触部を接触させて高さ表示部が接触部の高さを表示することにより寝具の高さを測定することができると共に、例えば、被検者の身体に接触部を接触させて高さ表示部が接触部の高さを表示することにより身体の高さを測定することができる。更に、寝具に載せられた被検者の身体に接触部を接触させて高さ表示部が接触部の高さを表示することにより、寝具に載せられた身体の高さを測定することができる。従って、測定対象物に接触する接触部の高さを測定することにより、基準面に対する寝具の高さ、基準面に対する身体の高さ、及び寝具に載せられた身体の基準面に対する高さを正確に測定することができる。よって、被検者の実際の身体の重さ及び形状を加味した寝具の高さを正確に測定することができるので、実際の睡眠状態を加味した高さの測定を行うことができる。更に、この高さ測定装置では、重りを用意する必要はなく、実際の被検者の身体の高さを測定するので、被検者の個人差を加味した測定を行うことができる。
【００１０】
また、この高さ測定装置は、第１支持部の下方で交差方向に延在する板状部材を備えてもよい。この場合、板状部材が高さ方向に延びる第１支持部を支持する。よって、板状部材を置いて寝具及び被検者等の高さの測定を行うことができるので、高さの測定を容易に行うことができる。また、板状部材を枕等が置かれる敷き寝具の下に挟み込んだ状態で高さの測定を行うことができるので、高さの測定を一層容易に行うことができる。
【００１１】
本発明に係る高さ測定方法は、寝具及び被検者を含む測定対象物の基準面に対する高さを前述の高さ測定装置によって測定する高さ測定方法であって、基準面の上方に位置する被検者の身体に接触部を接触させることによって身体の高さを測定する工程と、基準面の上方に位置する寝具に接触部を接触させることによって寝具の高さを測定する工程と、基準面の上方に位置する寝具に載せられた身体に接触部を接触させることによって寝具に載せられた身体の高さを測定する工程と、を備える。
【００１２】
この高さ測定方法では、被検者の身体に接触部を接触させることによって身体の高さを測定し、寝具に接触部を接触させることによって寝具の高さを測定し、更に、寝具に載せられた身体に接触部を接触させることによって寝具に載せられた身体の高さを測定する。従って、接触部を身体又は寝具に接触させることによって、高さの測定を容易に行うことができると共に、実際の睡眠環境を加味した高さの測定を行うことができる。また、寝具に載せられた身体の高さと身体のみの高さとの差分を算出し、寝具のみの高さと当該差分との差の値を算出することにより、身体が載せられたときの寝具の凹み具合を精度よく且つ容易に算出することができる。
【発明の効果】
【００１３】
本発明によれば、測定対象物の高さを容易に測定することができると共に、測定対象物の高さを精度よく測定することができる。
【図面の簡単な説明】
【００１４】
【図１】第１実施形態に係る高さ測定装置を示す斜視図である。
【図２】図１の高さ測定装置の板状部材、第１支持部、第２支持部、接触部及び高さ表示部を拡大した斜視図である。
【図３】図２の接触部と高さ表示部とを拡大した側面図である。
【図４】図２の第１支持部と第２支持部との交差部分を拡大した側面図である。
【図５】図２の第１支持部から外された第２支持部を示す斜視図である。
【図６】（ａ）は、図２の第２支持部の一部を示す斜視図である。（ｂ）は、第２支持部から外した接触部を示す斜視図である。
【図７】図２の板状部材が敷き寝具の下に挟まれた状態を示す断面図である。
【図８】（ａ）及び（ｂ）は、実施形態に係る高さ測定方法の各工程を示す図である。
【図９】実施形態に係る高さ測定方法の一工程を示す図である。
【図１０】第２実施形態に係る高さ測定装置の高さ表示部及び接触部を示す側面図である。
【発明を実施するための形態】
【００１５】
以下では、図面を参照しながら本発明に係る高さ測定装置及び高さ測定方法の実施形態について説明する。図面の説明において同一又は相当する要素には同一の符号を付し、重複する説明を適宜省略する。また、図面は、理解の容易のため、一部を簡略化又は誇張して描いている場合があり、寸法等は図面に記載のものに限定されない。
【００１６】
（第１実施形態）
図１は、第１実施形態に係る高さ測定装置１を示す斜視図である。寝心地の良い寝具を提供するためには寝具の高さを精度よく且つ容易に測定できることが重要であり、しかも簡便な構成で容易に高さを測定できることが望まれている。寝具の高さは、寝具の形状、大きさ、材料、寝具を使用する使用者の体形、使用者の重さ、寝具の下に位置する敷き寝具の形状、及び敷き寝具の材料等、種々の条件によって変動する。従って、寝具の高さの測定を行うときには、実際の寝具の高さ、及び実際の使用者（被検者）の高さを測定することが望ましい。本実施形態に係る高さ測定装置１は、実際の寝具、及び実際の被検者の高さを測定することよって測定精度の確からしさを高めている。
【００１７】
高さ測定装置１は、基準面に対する測定対象物の高さを測定する。本明細書において「基準面」とは、測定する高さの基準となる面であり、「高さ」はこの基準面に対する高さとして測定される。また、「測定対象物」は、測定する対象となるものであり、例えば、寝具、及び被検者の身体を含んでいる。「寝具」は、寝具の使用者が身体を休めたり睡眠をとったりするときに使用者の身体が当てられるものであり、典型的には、枕、布団、マットレス、座布団又はクッションである。「敷き寝具」とは、寝具のうち使用者の身体が載せられるものを示しており、例えば、マットレス、敷き布団、カーペット又は絨毯を含む。「被検者」は、身体の高さが測定される測定対象者であり、例えば、寝具の購入又は研究開発等において寝具を試すときに高さが測定される被測定者を含む。
【００１８】
図１に示されるように、高さ測定装置１は、高さ測定装置１のベースとなる板状部材２と、板状部材２から高さ方向Ｄ１に延びる第１支持部３と、第１支持部３から高さ方向Ｄ１に交差する交差方向Ｄ２に延びる第２支持部４と、第２支持部４に取り付けられる接触部５と、接触部５の高さを表示する高さ表示手段である高さ表示部１０とを備える。例えば、高さ方向Ｄ１は鉛直方向であり、交差方向Ｄ２は水平方向である。板状部材２、第１支持部３、第２支持部４及び接触部５は、例えば、木製とされている。このように、高さ測定装置１の各部品が木製であることによって、高さ測定装置１を手で容易に運べる程度に軽量化することが可能である。
【００１９】
板状部材２は、交差方向Ｄ２に沿って延びる平板状とされている。板状部材２は、測定する高さの基準を示す基準面Ｓ１を構成する。基準面Ｓ１は、例えば、板状部材２の上面である。但し、高さを測定するときの基準面は、基準面Ｓ１に限られず、例えば後述する敷き寝具Ｅ（図７参照）の上面である基準面Ｓ２等、適宜変更される。板状部材２は、交差方向Ｄ２に延在すると共に、高さ方向Ｄ１及び交差方向Ｄ２の双方に交差する方向Ｄ３に延在している。高さ方向Ｄ１、交差方向Ｄ２及び方向Ｄ３は、例えば、互いに直交している。
【００２０】
板状部材２の厚さ（高さ方向Ｄ１の長さ）は、例えば、２ｍｍ以上且つ１０ｍｍ以下である。一例として、板状部材２は、交差方向Ｄ２に長く延びる長方形状とされており、交差方向Ｄ２に延びる一対の長辺２ａと、方向Ｄ３に延びる一対の短辺２ｂとを有する。例えば、長辺２ａの長さは５０ｃｍ以上且つ２００ｃｍ以下であり、短辺２ｂの長さは３０ｃｍ以上且つ１５０ｃｍ以下である。しかしながら、これらの各値及び板状部材２の形状は適宜変更可能である。
【００２１】
図２は、高さ測定装置１の第１支持部３、第２支持部４、接触部５及び高さ表示部１０を拡大させた斜視図である。図１及び図２に示されるように、第１支持部３は、例えば、板状部材２の交差方向Ｄ２の端部に位置する短辺２ｂから高さ方向Ｄ１に延び出している。一例として、第１支持部３は板状部材２から鉛直上方に延びている。第１支持部３は、高さ方向Ｄ１に延びる柱状部３Ａと、柱状部３Ａの下端に位置する支持板部３Ｂとを有する。
【００２２】
支持板部３Ｂは、柱状部３Ａの方向Ｄ３を向く側面３ａと板状部材２の基準面Ｓ１とに固定（例えば接着固定）されている。支持板部３Ｂは、柱状部３Ａの方向Ｄ３の両側に一対に設けられており、方向Ｄ３の両側から柱状部３Ａを支持している。支持板部３Ｂは、高さ方向Ｄ１及び方向Ｄ３に延在する平面３ｄと、高さ方向Ｄ１及び方向Ｄ３の双方に対して傾斜する上面３ｂと、上面３ｂの下端から基準面Ｓ１に高さ方向Ｄ１に延びる側面３ｃとを有する。この支持板部３Ｂが柱状部３Ａに一対に設けられることにより、板状部材２に対する第１支持部３の支持構造を補強することができる。
【００２３】
柱状部３Ａは、例えば、角柱状を成しており、一例として高さ方向Ｄ１に延びる四角柱状（直方体状）を呈する。柱状部３Ａ（第１支持部３）の高さ（高さ方向Ｄ１の長さ）は、例えば、５０ｃｍ以上且つ１００ｃｍ以下である。柱状部３Ａは、方向Ｄ３を向く一対の側面３ａと、交差方向Ｄ２を向く一対の側面３ｅと、上端面３ｆとを有する。一対の側面３ｅ及び上端面３ｆは、例えば、平坦状とされている。側面３ａは、高さ表示部１０の後述するスケール１１が貼り付けられる凹部３ｇを有する。凹部３ｇは、柱状部３Ａの高さ方向Ｄ１の一端から他端まで（上端面３ｆから下端まで）延びている。
【００２４】
図３は、接触部５及び高さ表示部１０を拡大した側面図である。接触部５は、第２支持部４に着脱自在とされている。高さ表示部１０は、第１支持部３に設けられたスケール１１と、スケール１１上の接触部５の高さＨ１の値を示す指標部１２と、指標部１２を第１支持部３に支持する支持部材１３とを備える。
【００２５】
スケール１１は、例えば、基準面Ｓ１からの高さを数値として示すメジャーである。すなわち、スケール１１は、基準面Ｓ１の高さを０として基準面Ｓ１からの高さＨ１を数値で示している。指標部１２は、支持部材１３からスケール１１に延び出しており、接触部５の高さＨ１に相当するスケール１１の位置を示している。指標部１２は、例えば、支持部材１３から交差方向Ｄ２に延び出すシート状（又はフィルム状）の部材である。
【００２６】
図３及び図４に示されるように、支持部材１３は、指標部１２を保持する保持部１３ａと、保持部１３ａを第１支持部３に脱着自在に取り付ける被取付部１３ｂとを備える。保持部１３ａは、例えば、スケール１１の隣接位置において被取付部１３ｂから下方に延び出す棒状とされている。一例として、保持部１３ａは、四角柱状（直方体状）とされており、保持部１３ａの底部から指標部１２がスケール１１に延び出している。
【００２７】
被取付部１３ｂは、保持部１３ａが脱着自在に取り付けられる被取付面１３ｄと、被取付面１３ｄの交差方向Ｄ２の両側のそれぞれに位置するレール部１３ｃとを有する。被取付面１３ｄ及びレール部１３ｃは、共に、第２支持部４に固定されている。被取付面１３ｄは、交差方向Ｄ２に沿って一対に設けられるレール部１３ｃの間において高さ方向Ｄ１に延びている。一例として、被取付面１３ｄは、面ファスナーである。しかしながら、被取付面１３ｄは、保持部１３ａを脱着自在に取り付け可能な部位であればよく、面ファスナーに限定されない。
【００２８】
被取付面１３ｄが面ファスナーである場合、保持部１３ａの１つの側面にも面ファスナー１３ｅが設けられており、被取付面１３ｄを構成する面ファスナーに保持部１３ａの面ファスナー１３ｅが取り付けられることによって被取付面１３ｄに保持部１３ａが脱着自在に取り付けられる。また、保持部１３ａに設けられる面ファスナー１３ｅの長さは、被取付面１３ｄを構成する面ファスナーの長さＬよりも長いので、被取付部１３ｂに対する保持部１３ａの高さ方向Ｄ１の位置を変更することが可能である。
【００２９】
一対のレール部１３ｃのそれぞれは高さ方向Ｄ１に沿って直線状に延びている。レール部１３ｃは、被取付部１３ｂに取り付けられる保持部１３ａの長手方向の向きを高さ方向Ｄ１に一致させるために設けられる。一対のレール部１３ｃの間の間隔Ｆ１は、保持部１３ａの幅Ｆ２と同一、又は保持部１３ａの幅Ｆ２よりも若干広くなっている。よって、高さ方向Ｄ１に延びる一対のレール部１３ｃの間に保持部１３ａが取り付けられることにより、保持部１３ａの長手方向の向きを高さ方向Ｄ１に一致させることが可能となる。
【００３０】
図３、図４及び図５に示されるように、第２支持部４は、第１支持部３に対して高さ方向Ｄ１に移動可能とされる基部４Ａと、基部４Ａから交差方向Ｄ２に延び出す延在部４Ｂとを備える。基部４Ａには、前述した被取付部１３ｂのレール部１３ｃが固定されている。基部４Ａは、第１支持部３の柱状部３Ａが挿通される孔部４ａと、第１支持部３に対する第２支持部４の高さ方向Ｄ１の位置を固定する固定手段４ｂとを備える。
【００３１】
孔部４ａは、柱状部３Ａを挿通可能な形状及び大きさを有し、孔部４ａの形状は、一例として、四角柱状（直方体状）である。固定手段４ｂは、例えば、柱状部３Ａの交差方向Ｄ２を向く側面３ｅを押圧する押圧部４ｃと、押圧部４ｃから交差方向Ｄ２に延び出す雄螺子４ｄと、雄螺子４ｄの押圧部４ｃとの反対側の端部に位置する把持部４ｅとを備える。
【００３２】
押圧部４ｃは、基部４Ａの孔部４ａの内側に位置している。押圧部４ｃは、例えば、板状を成しており、柱状部３Ａの側面３ｅに押し付けられる環状の押し当て面４ｆを有する。一例として、押圧部４ｃの形状は円盤状である。雄螺子４ｄは、基部４Ａの壁部４ｇを貫通しており、この壁部４ｇの貫通孔には雄螺子４ｄが螺合する雌螺子が形成されている。従って、雄螺子４ｄの回転に伴って当該雌螺子と雄螺子４ｄとの螺合作用が働き、この螺合作用によって押圧部４ｃが交差方向Ｄ２に移動する。
【００３３】
把持部４ｅは、基部４Ａの孔部４ａの外側に位置しており、把持部４ｅ及び雄螺子４ｄの一部は壁部４ｇから基部４Ａの外方に突出している。把持部４ｅは雄螺子４ｄを回転させるために設けられた部位である。把持部４ｅを手で持って雄螺子４ｄを一方向（例えば時計回り）に回転させることによって押圧部４ｃで柱状部３Ａを押圧して第２支持部４を第１支持部３に固定することが可能である。
【００３４】
また、把持部４ｅを手で持って雄螺子４ｄを一方向の反対方向（例えば反時計回り）に回転させることによって柱状部３Ａに対する押圧部４ｃの押圧を解除し、第１支持部３に対して第２支持部４を上方に持ち上げて基部４Ａを第１支持部３から外すことにより第１支持部３から第２支持部４を取り外すことが可能である。把持部４ｅは、雄螺子４ｄの端部から拡径された形状とされているため、持ちやすい形状とされている。
【００３５】
図３に示されるように、基部４Ａからは延在部４Ｂが交差方向Ｄ２に延び出しており、延在部４Ｂには、接触部５の交差方向Ｄ２の位置を表示する交差方向位置表示部６が設けられる。交差方向位置表示部６は、延在部４Ｂに貼り付けられて交差方向Ｄ２に延びるスケール６ａを備える。スケール６ａは、例えば、第１支持部３からの距離を数値として示すメジャーである。すなわち、スケール６ａは、第２支持部４の第１支持部３との交差部分Ｘの位置を０として交差部分Ｘからの距離を数値として示している。
【００３６】
図３及び図６（ａ）に示されるように、延在部４Ｂは、例えば、交差方向Ｄ２に延びると共に接触部５が取り付けられる第１板状部４ｈと、第１板状部４ｈの上部において交差方向Ｄ２に延在する第２板状部４ｊとを備える。第１板状部４ｈ及び第２板状部４ｊの交差方向Ｄ２の長さ（第２支持部４の交差方向Ｄ２の長さ）は、例えば、１５ｃｍ以上且つ６０ｃｍ以下である。
【００３７】
第１板状部４ｈ及び第２板状部４ｊは、共に、平板状とされている。第１板状部４ｈの高さ方向Ｄ１の長さは第１板状部４ｈの方向Ｄ３の長さよりも短く、第２板状部４ｊの方向Ｄ３の長さは第２板状部４ｊの高さ方向Ｄ１の長さよりも短い。第１板状部４ｈ及び第２板状部４ｊを交差方向Ｄ２に直交する平面で切断したときの断面形状は、逆Ｔ字状とされている。このように第１板状部４ｈ及び第２板状部４ｊ（第２支持部４）を長手方向（交差方向Ｄ２）に直交する平面で切断したときの断面が逆Ｔ字状であることにより、第２支持部４の強度が高められている。
【００３８】
前述した交差方向位置表示部６のスケール６ａは、第１板状部４ｈの方向Ｄ３を向く端面に貼り付けられている。また、第１板状部４ｈの下面４ｋ（基準面Ｓ１側に向けられる面）には、接触部５が脱着自在に取り付けられる。例えば、下面４ｋには、接触部５が取り付けられる被取付面４ｍが交差方向Ｄ２に沿って設けられており、被取付面４ｍの任意の位置に接触部５が取り付けられる。
【００３９】
図３、図６（ａ）及び図６（ｂ）に示されるように、接触部５は、被取付面４ｍに取り付けられる取付面５ａを備える。被取付面４ｍ及び取付面５ａは、例えば、面ファスナーである。しかしながら、被取付面４ｍ及び取付面５ａは、面ファスナーでなくてもよく、被取付面４ｍに対して取付面５ａを交差方向Ｄ２に移動自在に保持する構造であれば、面ファスナー以外の構成を採用可能である。
【００４０】
接触部５は、取付面５ａを有する板状部５ｂと、板状部５ｂから板状部５ｂの面外方向に延びる棒状部５ｃと、棒状部５ｃの板状部５ｂとの反対側に位置する端部５ｄとを備える。板状部５ｂは、例えば、交差方向Ｄ２及び方向Ｄ３に沿って延びる矩形板状とされており、取付面５ａは板状部５ｂの上面５ｅに設けられる。取付面５ａは、上面５ｅにおいて交差方向Ｄ２に延在する。
【００４１】
板状部５ｂの方向Ｄ３に向けられる端面５ｆには交差方向位置表示部６の目印６ｂが設けられており、目印６ｂを交差方向位置表示部６（第２支持部４）のスケール６ａに合わせることによって接触部５（端部５ｄ）の交差方向Ｄ２における位置を把握することが可能である。一例として、目印６ｂは高さ方向Ｄ１に延びており、棒状部５ｃ及び端部５ｄは、目印６ｂから下方（高さ方向Ｄ１）に延び出すように設けられる。棒状部５ｃ及び端部５ｄの交差方向Ｄ２の位置は目印６ｂの交差方向Ｄ２の位置と一致しているため、目印６ｂが示すスケール６ａの位置を視認することによって接触部５の交差方向Ｄ２の位置を把握することが可能である。
【００４２】
棒状部５ｃ及び端部５ｄは、例えば、板状部５ｂの方向Ｄ３の中央から下方に延び出している。一例として、棒状部５ｃは丸棒状（円柱状）とされており、端部５ｄは球状とされている。端部５ｄは、第２支持部４及び接触部５の下降に伴って、高さが測定される寝具、又は高さが測定される被検者に接触する部位である。端部５ｄの材料は、例えば、木、又はゴム等の弾性材料であり、端部５ｄの材料が弾性材料である場合には被検者への端部５ｄの接触時に被検者に加わる衝撃を緩和することが可能である。前述したように、接触部５（端部５ｄ）の高さＨ１は、指標部１２によって示される。しかしながら、指標部１２及び支持部材１３が脱着されることにより、指標部１２が示す高さを端部５ｄの高さＨ１から変更することも可能である。
【００４３】
次に、本実施形態に係る寝具及び被検者の基準面に対する高さを測定する高さ測定方法について説明する。図７に示されるように、以下では、前述した高さ測定装置１を用いて寝具及び被検者を測定する例について説明する。一例として、ベッドＴの上に板状部材２を載せると共に敷き寝具Ｅの下に板状部材２を挟み込んで高さ測定装置１の位置を固定する。なお、敷き寝具ＥはベッドＴではなく畳又はフローリングの上に置かれたものであってもよい。敷き寝具Ｅは、例えばマットレスであるが、敷き布団等であってもよく適宜変更される。
【００４４】
第２支持部４に接触部５を取り付けて端部５ｄが基準面Ｓ２に接触するように第２支持部４を降ろした後、指標部１２が基準面Ｓ１に接触する位置で保持部１３ａを被取付部１３ｂに取り付ける。このように、指標部１２を基準面Ｓ１に接触させると共に端部５ｄを基準面Ｓ２に接触させることにより、端部５ｄの高さと指標部１２の高さとの差Ｈ３は、基準面Ｓ１に載せられた敷き寝具Ｅの高さＨ２と一致する。そして、基準面Ｓ２に対する端部５ｄの高さが指標部１２が示す高さ（基準面Ｓ１に対する指標部１２の高さ）と一致する。
【００４５】
続いて、第２支持部４及び接触部５を上方に移動させると共に、図８（ａ）に示されるように、敷き寝具Ｅの上に被検者Ｍを横たわらせる。そして、第２支持部４及び接触部５を第１支持部３に沿って降ろして接触部５の端部５ｄを被検者Ｍに接触させて被検者Ｍの身体の高さＡを測定する。このとき、例えば端部５ｄが被検者Ｍの頭部に接触したときに指標部１２が指すスケール１１の値を見ることによって被検者Ｍの高さＡを測定する（身体の高さを測定する工程）。
【００４６】
次に、一旦第２支持部４及び接触部５を上方に移動させて敷き寝具Ｅの上に寝具Ｙを置き、寝具Ｙの上に被検者Ｍの身体を載せる。そして、第２支持部４及び接触部５を第１支持部３に沿って降ろして接触部５の端部５ｄを被検者Ｍに接触させて寝具Ｙに載せられた被検者Ｍの高さＢを測定する。このとき、前述と同様に指標部１２が指すスケール１１の値を見ることによって、例えば枕である寝具Ｙに被検者Ｍの後頭部が載せられたときの被検者Ｍの頭部の高さＢを測定する（寝具に載せられた身体の高さを測定する工程）。
【００４７】
続いて、図９に示されるように、第２支持部４及び接触部５を上方に移動させて敷き寝具Ｅの上に寝具Ｙを置き、第２支持部４及び接触部５を第１支持部３に沿って降ろして寝具Ｙの高さＣを測定する。このとき、被検者Ｍが載せられていない寝具Ｙの高さＣを測定する。具体例として、前述と同様に指標部１２が指すスケール１１の値を見ることによって、接触部５の端部５ｄを枕である寝具Ｙに接触させて寝具Ｙの高さＣを測定する（寝具の高さを測定する工程）。
【００４８】
以上のように、身体の高さを測定する工程、寝具に載せられた身体の高さを測定する工程、及び寝具の高さを測定する工程を実行した後に、高さＢと高さＡとの差を算出することによって沈み込んだ寝具Ｙの高さＶを算出する（沈み込んだ寝具の高さを算出する工程）。そして、高さＣと高さＶとの差から寝具Ｙの沈み込み量を算出する（寝具の沈み込み量を算出する工程）。以上の各工程を経て高さ測定方法の一連の工程が完了する。なお、身体の高さを測定する工程、寝具に載せられた身体の高さを測定する工程、及び寝具の高さを測定する工程、の順序は適宜変更可能である。
【００４９】
次に、本実施形態に係る高さ測定装置１の作用効果について詳細に説明する。図３に示されるように、高さ測定装置１では、高さ方向Ｄ１に延びる第１支持部３が交差方向Ｄ２に延びる第２支持部４を高さ方向Ｄ１に移動可能に支持し、第２支持部４は寝具Ｙ及び被検者Ｍに接触する接触部５を交差方向Ｄ２に移動可能に支持する。よって、寝具Ｙ又は被検者Ｍに接触する接触部５は、高さ方向Ｄ１に交差する交差方向Ｄ２に移動可能に支持されるため、交差方向Ｄ２が異なる複数の箇所の寝具Ｙ又は被検者Ｍに接触する。また、高さ測定装置１は、接触部５の高さを表示する高さ表示部１０を備える。よって、寝具Ｙ又は被検者Ｍに接触した接触部５の高さＨ１を高さ表示部１０が表示することにより、寝具Ｙ及び被検者Ｍの高さを容易に測定することができる。
【００５０】
また、接触部５を交差方向Ｄ２に沿って移動させながら接触部５の高さを高さ表示部１０が表示することにより、交差方向Ｄ２ごとの寝具Ｙ及び被検者Ｍの高さを測定することができる。従って、寝具Ｙ及び被検者Ｍの高さを精度よく測定することができる。また、高さ測定装置１では、寝具Ｙ又は被検者Ｍに接触部５を接触させて高さ表示部１０が接触部５の高さを表示することにより、基準面Ｓ２に対する寝具Ｙ及び被検者Ｍの高さを測定することができる。
【００５１】
よって、図８（ａ）、図８（ｂ）及び図９に示されるように、寝具Ｙに接触部５を接触させて高さ表示部１０が寝具Ｙの高さＣを測定することができると共に、被検者Ｍの身体に接触部５を接触させて高さ表示部１０が身体の高さＡ，Ｂをそれぞれ表示することにより、基準面Ｓ２に対する寝具Ｙの高さＣ、基準面Ｓ２に対する身体の高さＡ、及び寝具Ｙに載せられた身体の基準面Ｓ２に対する高さＢを正確に測定することができる。
【００５２】
よって、被検者Ｍの実際の身体の重さ及び形状を加味した寝具Ｙの高さを正確に測定することができるので、実際の睡眠状態を加味した高さＡ，Ｂ，Ｃの測定を行うことができる。更に、高さ測定装置１では、従来のように寝具に載せる重り等を用意する必要はなく、実際の被検者Ｍの身体の高さＡ，Ｂを測定するので、被検者Ｍの個人差を加味した測定を行うことができる。また、図８（ａ）及び図８（ｂ）の例では、仰向けとされた被検者Ｍの高さＡ，Ｂが測定されているが、横向きとされた被検者の高さ、及びうつ伏せとされた被検者の高さを測定することも可能である。
【００５３】
また、高さ測定装置１は、第１支持部３の下方で交差方向Ｄ２に延在する板状部材２を備える。すなわち、板状部材２が高さ方向Ｄ１に延びる第１支持部３を支持する。よって、板状部材２を置いて寝具Ｙ及び被検者Ｍの高さＡ，Ｂ，Ｃの測定を行うことができるので、高さＡ，Ｂ，Ｃの測定を容易に行うことができる。また、板状部材２を寝具Ｙ等が置かれる敷き寝具Ｅの下に挟み込んだ状態で高さＡ，Ｂ，Ｃの測定を行うことができるので、高さＡ，Ｂ，Ｃの測定を一層容易に行うことができる。
【００５４】
更に、高さ測定装置１は、実際の敷き寝具Ｅを用いて高さＡ，Ｂ，Ｃの測定を行うため、被検者Ｍの個人差、及び寝具Ｙの差と共に、敷き寝具Ｅの差を加味した高さの測定を行うことができる。従って、測定した高さＡ，Ｂ，Ｃに応じて寝具Ｙ及び敷き寝具Ｅの内容物（綿又はパイプ材等）の量、形状、大きさ又は材料等を調整することにより、被検者Ｍに合う最適な寝具Ｙ及び敷き寝具Ｅを提供することが可能となる。具体例として、高さＣと高さＶとの差から得た寝具Ｙの沈み込み量が３．０ｃｍとなることが好ましいと考えられているため、寝具Ｙの沈み込み量が３．０ｃｍとなるように内容物の量の変更等を行うことにより、被検者Ｍにとって最適な寝具Ｙを提供することができる。
【００５５】
本実施形態に係る高さ測定方法は、被検者Ｍの身体に接触部５を接触させることによって身体の高さＡを測定し、寝具Ｙに接触部５を接触させることによって寝具Ｙの高さＣを測定し、更に、寝具Ｙに載せられた身体の高さＢを測定する。従って、接触部５を身体又は寝具Ｙに接触させることによって、高さＡ，Ｂ，Ｃの測定を容易に行うことができると共に、実際の睡眠環境を加味した高さＡ，Ｂ，Ｃの測定を行うことができる。また、寝具Ｙに載せられた身体の高さＢと身体のみの高さＡとの差分である高さＶを算出し、寝具のみの高さＣと高さＶとの差の値を算出することにより、身体が載せられたときの寝具Ｙの凹み具合（沈み込み量）を精度よく且つ容易に算出することができる。
【００５６】
また、接触部５は第２支持部４に面ファスナーを介して脱着自在とされている。従って、第２支持部４及び接触部５のそれぞれに面ファスナーを貼り付けることによって第２支持部４に接触部５を脱着する構造を作成できるので、第２支持部４に接触部５を脱着する構成を簡易にすることができる。
【００５７】
また、第２支持部４は、第１支持部３の柱状部３Ａが挿通される孔部４ａを有し、 柱状部３Ａからを孔部４ａを外すことによって第１支持部３から分解可能とされている。従って、高さ測定装置１を使用しないときに第１支持部３から第２支持部４を分解できるので高さ測定装置１をコンパクトにすることができる。また、接触部５は第２支持部４に脱着自在とされており、更に保持部１３ａは被取付面１３ｄに脱着自在とされているので、更なるコンパクト化が可能である。
【００５８】
また、高さ測定装置１は、接触部５の交差方向Ｄ２の位置を表示する交差方向位置表示部６を備える。よって、複数の交差方向Ｄ２の位置のそれぞれにおける寝具Ｙ及び被検者Ｍの高さを高さ表示部１０が表示する。従って、寝具Ｙ及び被検者Ｍの様々な箇所（例えば、枕の最も窪む箇所、枕の最も高い箇所、被検者の鼻の部分、被検者の頬の部分、又は被検者の額の部分等）の高さを効率よく且つ正確に測定することができるので、更なる測定精度の向上に寄与する。更に、高さ表示部１０は、スケール１１と、接触部５の高さを示す指標部１２とを備える。従って、高さ表示部１０の構成を簡易にすることができる。交差方向位置表示部６についても同様である。
【００５９】
（第２実施形態）
次に、第２実施形態に係る高さ測定装置２１について図１０を参照しながら説明する。高さ測定装置２１は、高さ表示部１０とは異なる態様の高さ表示部３０を備える点が第１実施形態と相違する。高さ表示部３０は、前述した指標部１２及び支持部材１３に代えて、基準面Ｓ１からの接触部５（端部５ｄ）の高さを表示する第２のスケール３１を備える。以下では、第１実施形態と重複する説明を適宜省略する。
【００６０】
高さ表示部３０は、前述したスケール１１と第２のスケール３１とを備えており、スケール３１はスケール１１の隣接位置において高さ方向Ｄ１に延在している。例えば、スケール３１は、基準面Ｓ１に対する端部５ｄの高さを数値として示すメジャーである。一例として、端部５ｄが基準面Ｓ１に接触するときに、第２支持部４の基部４Ａの下端がスケール３１の０の位置に一致している。よって、第２支持部４及び接触部５を高さ方向Ｄ１に沿って移動させるときに、第２支持部４の基部４Ａの下端に位置するスケール３１の値を視認することによって基準面Ｓ１に対する端部５ｄの高さを把握することができる。
【００６１】
以上、第２実施形態に係る高さ測定装置２１は、接触部５の高さを表示する高さ表示部３０を備える。よって、寝具又は被検者等の測定対象物に接触した接触部５の高さを高さ表示部３０が表示することにより、測定対象物の高さを容易に測定することができるので第１実施形態と同様の効果が得られる。また、第２実施形態では、２本のメジャーによって高さ表示部３０が構成されるので、高さ表示部の構成を簡易にすることができる。
【００６２】
以上、本発明に係る高さ測定装置及び高さ測定方法の実施形態について説明したが、本発明は、前述した各実施形態に限定されるものではなく、各請求項に記載した要旨を変更しない範囲において適宜変更可能である。すなわち、高さ測定装置の各部の形状、大きさ、数、材料及び配置態様は、上記の要旨を逸脱しない範囲において適宜変更可能である。
【００６３】
例えば、前述の実施形態では、スケール１１、指標部１２及び支持部材１３を備えた高さ表示部１０、並びに、スケール１１及びスケール３１を備えた高さ表示部３０について説明した。しかしながら、高さ表示部の構成は、高さ表示部１０又は高さ表示部３０の構成に限られず適宜変更可能である。例えば、高さ表示部１０及び高さ表示部３０に代えて、接触部５の高さをデジタル表示するデジタル高さ表示器を備えていてもよい。
【００６４】
また、前述した実施形態では、棒状に延びる第１支持部３及び第２支持部４について説明した。しかしながら、第１支持部及び第２支持部の形状は棒状に限られず適宜変更可能である。また、第１支持部３及び第２支持部４の少なくともいずれかは折り曲げ自在とされたヒンジ機構を有していてもよい。この場合、第１支持部３及び第２支持部４の少なくともいずれかを折り畳むことが可能となるので、更なるコンパクト化が可能となる。
【００６５】
また、前述した実施形態では、第２支持部４が、第１支持部３に対する固定手段として、押圧部４ｃ、雄螺子４ｄ及び把持部４ｅを有する固定手段４ｂを備える例について説明した。しかしながら、固定手段の構成は適宜変更可能である。例えば、固定手段４ｂに代えて、孔部４ａの内面にゴム等から成るブレーキ構造が設けられた固定手段であってもよい。この場合、第１支持部３に対する第２支持部４の高さ方向Ｄ１への移動を自動的に停止させることが可能となる。また、第１支持部３及び第２支持部４のそれぞれに高さ方向Ｄ１に延びるスライドレールが設けられており、当該スライドレールに沿って第２支持部４が第１支持部３に対して上下移動してもよい。
【００６６】
また、前述した実施形態では、接触部５が第２支持部４に面ファスナーを介して交差方向Ｄ２に移動自在に脱着される例について説明した。しかしながら、接触部は第２支持部に脱着自在とされていなくてもよい。また、第２支持部及び接触部のそれぞれに交差方向Ｄ２に延びるスライドレールが設けられており、当該スライドレールに沿って接触部が第２支持部に対して交差方向Ｄ２に移動してもよい。更に、前述した実施形態では、板状部５ｂ、棒状部５ｃ、及び球状の端部５ｄを備える接触部５について説明した。しかしながら、接触部の形状、大きさ、数、材料及び配置態様についても適宜変更可能である。
【００６７】
また、前述した実施形態では、第１支持部３を支持する板状部材２について説明した。しかしながら、板状部材２を省略することも可能である。また、板状部材２に代えて板状部材２とは異なる形状の台を備えていてもよい。更に、前述した実施形態では、材料が木製である高さ測定装置１について説明した。しかしながら、高さ測定装置の材料は、例えば、樹脂であってもよく、適宜変更可能である。
【００６８】
（実施例）
続いて、本発明に係る高さ測定装置及び高さ測定方法の実施例について説明する。本発明は、以下の実施例に限定されない。実施例に係る測定では、図７に示される高さ測定装置１を用いて被検者Ｍの後頭部が枕である寝具Ｙに載せられたときの寝具Ｙの凹み具合を測定した。実施例では、敷き寝具Ｅの下に板状部材２を挟んで高さ測定装置１をベッドＴの上に置いて高さの測定を行った。
【００６９】
まず、第２支持部４に接触部５を取り付けて端部５ｄを基準面Ｓ２に接触させた状態で指標部１２が基準面Ｓ１に接触するように保持部１３ａを被取付部１３ｂに取り付けた。そして、第２支持部４及び接触部５を上方に移動させた状態で図８（ａ）に示されるように被検者Ｍを敷き寝具Ｅに横たわらせて被検者Ｍの額に接触部５を接触させて高さＡを測定した。このときの高さＡは２６．４ｃｍであった。
【００７０】
次に、図８（ｂ）に示されるように、第２支持部４及び接触部５を上げて枕である寝具Ｙを敷き寝具Ｅの上に置き、寝具Ｙの上に被検者Ｍの後頭部が載るように被検者Ｍを横たわらせて被検者Ｍの額に接触部５を接触させて高さＢを測定した。このときの高さＢは２９．２ｃｍであった。その後、図９に示されるように、再度第２支持部４及び接触部５を上げて寝具Ｙのみを敷き寝具Ｅの上に置き寝具Ｙに接触部５を接触させて高さＣを測定した。高さＣの値は４．３ｃｍであった。その後、高さＢから高さＡを引いて凹んだ寝具Ｙの高さＶを算出し、高さＣから高さＶを引いて被検者Ｍの後頭部が載せられたときの寝具Ｙの沈み込み量を測定した。高さＶは２．８ｃｍであり寝具Ｙの沈み込み量は１．５ｃｍであった。
【００７１】
以上、高さ測定装置１の設置、被取付部１３ｂへの保持部１３ａの取り付け、高さＡ，Ｂ，Ｃ，Ｖの測定、及び寝具Ｙの沈み込み量の測定にかかる時間は数分であった。従って、高さ測定装置１を用いた各高さの測定を短時間で効率よく行うことが可能であり、高さの測定の効率が大幅に良好となることが分かった。
【符号の説明】
【００７２】
１，２１…高さ測定装置、２…板状部材、２ａ…長辺、２ｂ…短辺、３…第１支持部、３Ａ…柱状部、３Ｂ…支持板部、３ａ…側面、３ｂ…上面、３ｃ，３ｅ…側面、３ｄ…平面、３ｆ…上端面、３ｇ…凹部、４…第２支持部、４Ａ…基部、４Ｂ…延在部、４ａ…孔部、４ｂ…固定手段、４ｃ…押圧部、４ｄ…雄螺子、４ｅ…把持部、４ｆ…押し当て面、４ｇ…壁部、４ｈ…第１板状部、４ｊ…第２板状部、４ｋ…下面、４ｍ…被取付面、５…接触部、５ａ…取付面、５ｂ…板状部、５ｃ…棒状部、５ｄ…端部、５ｅ…上面、５ｆ…端面、６…交差方向位置表示部、６ａ…スケール、６ｂ…目印、１０，３０…高さ表示部、１１…スケール、１２…指標部、１３…支持部材、１３ａ…保持部、１３ｂ…被取付部、１３ｃ…レール部、１３ｄ…被取付面、１３ｅ…面ファスナー、３１…スケール、Ｄ１…高さ方向、Ｄ２…交差方向、Ｄ３…方向、Ｅ…敷き寝具、Ｆ１…間隔、Ｆ２…幅、Ｈ１，Ｈ２…高さ、Ｈ３…差、Ｍ…被検者、Ｓ１，Ｓ２…基準面、Ｔ…ベッド、Ｘ…交差部分、Ｙ…寝具。
【図１】
2019203746.tif 000003
【図２】
2019203746.tif 000004
【図３】
2019203746.tif 000005
【図４】
2019203746.tif 000006
【図５】
2019203746.tif 000007
【図６】
2019203746.tif 000008
【図７】
2019203746.tif 000009
【図８】
2019203746.tif 000010
【図９】
2019203746.tif 000011
【図１０】
2019203746.tif 000012